(57)【要約】【課題】従来の不足を排除しかつループ形成紡績またはループ形成加撚のための機械のスイッチオンの運転確実な方法を提案する。【解決手段】まず、バルーンリミッタとスピンドルとが回転開始し、該スピンドルが、バルーンリミッタ以前にスタートせず、スピンドルの回転開始時の瞬間回転速度が、多くとも一時的にバルーンリミッタの回転開始時の瞬間回転速度に合致し、その後、まだバルーンリミッタおよびスピンドルの定格回転速度への到達前に供給機構が回転開始し、これによって、糸結合体が、スピンドルのスタートと供給機構の定格速度との間の時間インターバルで、最終糸の公称撚りの許容可能な偏差よりも低い撚り数を達成するようにした。【選択図】図２
2006299504.tif 000002
【特許請求の範囲】
【請求項１】
ループ形成紡績またはループ形成加撚のための機械をスイッチオンするための方法であって、該機械の作業ステーションを、供給材料の、制御される駆動装置を備えた供給機構と、制御される駆動装置を備えたバルーンリミッタと、制御される駆動装置を備えたスピンドルと、該スピンドルによって支持された巻管のベースの下方でスピンドルに位置する、糸のための保持手段と、スピンドルレールに位置する、糸のための裁断器具とによって形成し、前記機械が、供給機構からバルーンリミッタを介して、スピンドルレールの下方に位置する捕捉手段に通じる補助糸区分の形成の段階と、バルーンリミッタ、スピンドルおよび供給機構の回転開始時の該供給機構と、スピンドルに設けられた捕捉手段との間への糸結合体の形成の段階と同時に、捕捉手段と捕捉手段との間での糸の遮断の段階とを有する形式のものにおいて、
まず、バルーンリミッタとスピンドルとが回転開始し、該スピンドルが、バルーンリミッタ以前にスタートせず、スピンドルの回転開始時の瞬間回転速度が、多くとも一時的にバルーンリミッタの回転開始時の瞬間回転速度に合致し、その後、まだバルーンリミッタおよびスピンドルの定格回転速度への到達前に供給機構が回転開始し、これによって、糸結合体が、スピンドルのスタートと供給機構の定格速度との間の時間インターバルで、最終糸の公称撚りの許容可能な偏差よりも低い撚り数を達成することを特徴とする、ループ形成紡績またはループ形成加撚のための機械をスイッチオンするための方法。
【請求項２】
糸結合体が、供給機構の回転開始の途中に、最終糸の公称撚り数の１５０％よりも少ない全撚りを達成する、請求項１記載の方法。
【請求項３】
供給機構が、瞬間速度の線形の経過で回転開始する、請求項１または２記載の方法。
【請求項４】
供給機構が、一時的な増加の回転開始時に、定格速度を上回る瞬間速度を達成する、請求項１または２記載の方法。
【請求項５】
バルーンリミッタと、スピンドルと、供給機構とが、機械の、制御された先の停止後に回転開始し、該停止後、糸結合体が、多くとも最終糸の公称撚りよりも２５％だけ低い撚りを有する、請求項１から４までのいずれか１項記載の方法。
【請求項６】
機械を、制御して以下の実行の順序：すなわち、
−スピンドルと供給機構との定格速度を減少させ、
−バルーンリミッタの定格速度を減少させ、スピンドルと供給機構との定格速度を減少させ、スピンドルと供給機構とを、減少させられたコンスタントな速度で運動させ、バルーンリミッタの定格速度の減少を終了し、バルーンリミッタを、減少させられたコンスタントな速度で運動させ、バルーンリミッタとスピンドルとの、制御された回転終了によって、バルーンリミッタと、スピンドルと、供給機構との駆動装置を同時にスイッチオフし、これによって、バルーンリミッタがスピンドル以前に停止する
で停止させる、請求項５記載の方法。
【請求項７】
バルーンリミッタとスピンドルとの定格速度の減少時のかつ減少させられたコンスタントな速度の場合の速度関係が、紡績プロセス時の前記機能機構の速度関係に合致し続ける、請求項６記載の方法。
【請求項８】
バルーンリミッタと、スピンドルと、供給機構との駆動装置のスイッチオフ前の、減少させられたコンスタントな速度における紡績の時間インターバルを、供給機構と、巻管への糸の巻上げの箇所との間の距離のほぼ二倍に相当する糸の長さ区分の紡績開始のために選択する、請求項６記載の方法。
【発明の詳細な説明】
【技術分野】
【０００１】
本発明は、ループ形成紡績またはループ形成加撚のための機械をスイッチオンするための方法であって、該機械の作業ステーションを、供給材料の、制御される駆動装置を備えた供給機構と、制御される駆動装置を備えたバルーンリミッタと、制御される駆動装置を備えたスピンドルと、該スピンドルによって支持された巻管のベースの下方でスピンドルに位置する、糸のための保持手段と、スピンドルレールに位置する、糸のための裁断器具とによって形成し、前記機械が、供給機構からバルーンリミッタを介して、スピンドルレールの下方に位置する捕捉手段に通じる補助糸区分の形成の段階と、バルーンリミッタ、スピンドルおよび供給機構の回転開始時の該供給機構と、スピンドルに設けられた捕捉手段との間への糸結合体の形成の段階と同時に、捕捉手段と捕捉手段との間での糸の遮断の段階とを有する形式のものに関する。
【背景技術】
【０００２】
ループ形成紡績またはループ形成加撚のための機械の原理は、ヨーロッパ特許出願公開第８８３７０３号明細書に記載されている。請求項１の導入部分は、同一出願人の、これまで公開されていないチェコ共和国特許出願第２００５−１８号明細書から出発する。
【０００３】
機械のスイッチオン時の紡績開始プロセスの成果が、供給機構と、回転する開いたループの形成のための条件を、後続の運転確実な紡績プロセスに対する機能的な前提条件として提供するスピンドルに設けられた捕捉手段との間の糸結合体の構造に関連していることが確認された。
【０００４】
しかし、これまで、ループ形成紡績またはループ形成加撚のための機械のスイッチオンの効果的な方法はまだ提案されなかった。
【特許文献１】ヨーロッパ特許出願公開第８８３７０３号明細書
【特許文献２】チェコ共和国特許出願第２００５−１８号明細書
【発明の開示】
【発明が解決しようとする課題】
【０００５】
本発明の課題は、従来の不足を排除しかつループ形成紡績またはループ形成加撚のための機械のスイッチオンの運転確実な方法を提案することである。
【課題を解決するための手段】
【０００６】
この課題を解決するために本発明の方法では、まず、バルーンリミッタとスピンドルとが回転開始し、該スピンドルが、バルーンリミッタ以前にスタートせず、スピンドルの回転開始時の瞬間回転速度が、多くとも一時的にバルーンリミッタの回転開始時の瞬間回転速度に合致し、その後、まだバルーンリミッタおよびスピンドルの定格回転速度への到達前に供給機構が回転開始し、これによって、糸結合体が、スピンドルのスタートと供給機構の定格速度との間の時間インターバルで、最終糸の公称撚りの許容可能な偏差よりも低い撚り数を達成するようにした。
【発明の効果】
【０００７】
最終糸の公称撚りの許容可能な偏差の規定は、機械のスイッチオン時の紡績開始プロセスの成果に関して、糸結合体が、供給機構の回転開始の間、最終糸の公称撚りの１５０％よりも少ない全撚りを達成するという仮定から出発する。
【０００８】
供給機構は、簡単な事例では、線形の速度経過で回転開始し、この回転開始時に、定格速度を上回る一時的な速度増加を達成する。第２の変化形の利点は、糸結合体における撚りの一時的な増加が、著しく早期に最終糸の撚りのレベルに減少させられるかまたは極めて短い時間の間でさえ、糸に課せられた瞬間撚りが最終撚りのレベル未満に減少させられることである。これによって、糸結合体の長さにおいて、有利には、この結合体における平均的な撚りが糸の最終撚りのレベルを僅かしか上回らないことが確保される。駆動の技術的な実施の簡略化の観点から、バルーンリミッタとスピンドルとが同時にスタートし、定格速度までの回転開始時のバルーンリミッタとスピンドルと瞬間回転速度が原理的に同じであると有利である。
【０００９】
供給機構と捕捉手段との間の補助糸区分は、糸リザーブから形成することができるかまたは、たとえばボビンの交換後の機械の再度のスイッチオン前の機械の、制御された停止によって得られる糸から形成することができる。糸リザーブは、供給機構から到来する供給形成物に公知の形式で接続される。このことは、実際には、機械の最初のスイッチオンまたは部分の交換後の機械のスイッチオンが考慮される場合に考慮される。補助糸区分では、公称撚りが知られている。しかし、この公称撚りは、先行する操作によって幾分減少し得る。しかし、補助糸区分における撚り数は、機械のスイッチオン前に多くとも最終糸の公称撚りよりも２５％だけ低いことが望ましい。
【００１０】
機械は、制御されて以下の実行の順序：すなわち、スピンドルと供給機構との定格速度を減少させ、バルーンリミッタの定格速度を減少させ、スピンドルと供給機構との定格速度の減少を終了し、スピンドルと供給機構とを、減少させられたコンスタントな速度で運動させ、バルーンリミッタの定格速度の減少を終了し、バルーンリミッタを、減少させられたコンスタントな速度で運動させ、制御された回転終了によって、バルーンリミッタと、スピンドルと、供給機構との駆動装置を同時にスイッチオフし、これによって、バルーンリミッタがスピンドル以前に停止する：で停止させられる。したがって、このことは、バルーンリミッタの回転する壁が、コップに巻き上げられた糸の巻条を緩めないようにするために重要となる。
【００１１】
バルーンリミッタと、スピンドルと、供給機構との駆動装置のスイッチオフのための時間インターバルは、供給ローラと、巻管に巻き上げられた糸との間の距離のほぼ二倍に相当する糸の長さ区分の紡績のために選択される。このことは、オーダにより、数分の一秒ないし数秒の期間に相当している。この時間後、全ての機能機構の駆動装置が同時にスイッチオフされる。糸の前記長さ区分の紡績は、機械の再度のスイッチオン前の新たな補助糸区分の形成のために有利である。
【００１２】
スピンドルと供給機構との定格速度の減少の開始と、バルーンリミッタの定格速度の減少の開始との間の期間およびスピンドルと供給機構との定格速度の減少の終了と、バルーンリミッタの定格速度の減少の終了との間の期間は極めて僅かであり、オーダにより数分の一秒である。
【００１３】
バルーンリミッタとスピンドルとの定格速度の減少時のかつ減少させられたコンスタントな速度の場合の速度関係は、紡績プロセス時の前記機能機構の速度関係に合致し続けている。
【００１４】
供給機構の、減少させられたコンスタントな速度のレベルが、供給機構の定格速度に比べて低い場合には、糸が、公称撚りよりも低い撚りで紡績され得る。この場合、実際には、この撚りは公称撚りよりも最大２５％だけ低い。
【００１５】
しかし、バルーンリミッタとスピンドルとが、供給機構を含むこれらの機構において、同時にかつ同じ回転速度で回転開始する制限事例では、より低いレベルへのバルーンリミッタとスピンドルとの定格速度の減少の開始および終了が同時に行われることが可能である。
【００１６】
したがって、機能機構の速度のより低いレベルでの紡績は、公称撚りの７５〜１００％のインターバルの撚りを備えた糸区分を保証することができる。この糸は、より低い生産速度と同時に、上述した機能機構のより低い速度で紡績され、したがって、この機能機構の、制御された回転終了を極めて短い時間で完全な静止にもたらすことができる。回転終了の制御のためには、たとえばプログラムブレーキを使用することができる。
【００１７】
作業ステーションの機能機構の動作の時間的な順序は、種々異なる繊維材料および異なる長さ重量から成る糸の試し紡績の結果に応じて選択される。
【００１８】
上述した条件による最初の紡績時のまたは機械の先の停止後のループ形成紡績またはループ形成加撚のための機械のスイッチオンの経過は、後続の紡績の運転確実な紡績開始プロセスを確保している。
【発明を実施するための最良の形態】
【００１９】
以下に、本発明を実施するための最良の形態を図面につき詳しく説明する。
【００２０】
図１には、ループ形成紡績またはループ形成加撚のための機械の作業ステーションが示してある。この作業ステーションは供給機構１を有している。この供給機構１は、通過させたい供給繊維形成物４、すなわち、紡績の事例では繊維源もしくは粗糸または加撚の事例では多重の糸システムの一対の供給ローラ２，３によって図示してある。紡績のための変化形では、これらの供給ローラ２，３が通過機構の出口ローラによって形成される。
【００２１】
供給機構１はガイド５によって第１のモータ６に接続されている。供給機構１の下方には、糸巻上げ体９を備えた巻管８を支持するほぼ鉛直なスピンドル７と、このスピンドル７に対応配置されたバルーンリミッタ１０とが配置されている。このバルーンリミッタ１０は、糸を直接巻管８に移行するための、半径方向で制限されない、回転する開いたループの連続的な形成による回転するバルーンを制限するために設けられている。スピンドル７は、同時に第２のモータ１１のロータ（図示せず）である。この第２のモータ１１はスピンドルレール１２に固定されている。スピンドルの中央のベルト駆動の事例では、機械が、少なくとも１つの共通の駆動モータを装備している。機械の全ての作業ステーションに沿って配置されたスピンドルレール１２は、糸巻上げ体９の形成ために、慣用の駆動装置（図示せず）を備えている。この駆動装置によって、スピンドルレール１２がプログラムにより鉛直に二重矢印１３の方向に移動可能である。
【００２２】
バルーンリミッタ１０は、たとえば下向きの方向に拡幅された管状のボディ１０１によって形成される。このボディ１０１は、糸のガイドおよび連行のための内側の案内表面１０２を有していて、スピンドル７に類似して、同時に第３のモータ１４のロータである。この第３のモータ１４は、不動の支持レール１５に固定されている。
【００２３】
スピンドル７には、巻管８のベースの下方に、糸Ｐに対する構造化された表面を備えた保持手段１６が載着されている。スピンドル７にはレバーガイド１７が対応配置されている。このレバーガイド１７は、糸Ｐを紡績開始プロセス時に保持手段１６の作用の領域にプログラムにより導入するための駆動機構１８によって操作される。
【００２４】
供給機構１の駆動装置を形成する第１のモータ６と、スピンドル７の駆動装置を形成する第２のモータ１１と、バルーンリミッタ１０の駆動装置を形成する第３のモータ１４とは、非同期的な電動モータとして形成されていてよい。これらの電動モータでは、周波数の変更または制御によって、回転数に相応に影響を与えることができ、これによって、電動モータは、電気的な線路１９，２０，２１によって、機械の作業ステーションのプログラミング可能な公知の制御機構２２、有利にはコンピュータにも制御可能に接続されている。モータの駆動・制動機能と、この駆動・制動機能の制御とは公知の形式（説明せず）で行われる。また、制御機構２２をモータの駆動・制動機能の制御の目的のために配置しかつプログラミングすることも当業者には容易なことである。
【００２５】
制御機構２２には、電気的な線路２３によってレバー糸ガイド１７の駆動機構１８も接続されている。
【００２６】
スピンドルレール１２の上方には、糸Ｐのための裁断器具２４が位置している。スピンドルレール１２の下方には、巻管のための捕捉手段２５が配置されていて、たとえばボビンの交換機構の搬送ベルトのマンドレルによって形成されている。
【００２７】
糸結合体２６は、供給機構１と、巻管８に設けられた糸巻上げ体９との間の糸Ｐの一部である。破線で図示した補助糸区分２７は供給機構１と捕捉手段２５とによって仕切られる。
【００２８】
定置の機械の場合、個々の作業ステーションにおいて、たとえば機械の最初のスイッチオン前にまたは部分の交換後の機械のスイッチオン前に、補助糸区分２７が供給機構１と捕捉手段２５との間に存在しない限り、補助糸区分２７が最初に提供されなければならない。このためには、捕捉手段２５に載着されたコップから、１つの蓄え糸Ｐが公称撚り数で繰り出され、この蓄え糸Ｐの端部がバルーンリミッタ１０のスリーブに供給機構１に向かって引き通され、そこで、予め供給機構１にガイドされた、供給ローラ２，３のニップラインを越えて突出した供給形成物４に慣用の形式で結合されるように、操作または適切な自動操作が慣用の形式で実施される。この状況では、レバーガイド１７が、破線で図示した非作業位置にある。
【００２９】
いずれにせよ、コップにおける蓄え糸から補助糸区分２７の公称撚り数が知られている。しかし、この公称撚り数は、先行する操作時に幾分減少し得る。しかし、補助糸区分２７における撚り数は、機械のスイッチオン前に多くとも最終糸の公称撚り数よりも２５％だけ低いことが望ましい。
【００３０】
補助糸区分２７が機械の作業ステーションに形成されるやいなや、機械が運転開始され得る。第１の段階では、駆動機構１８が制御機構２２のパルスに対して糸ガイド１７を作業位置にもたらす。この作業位置では、補助糸区分２７が保持手段１６の作用の領域に到来している。機械のスイッチオン時には、まず、制御機構２２により、第３のモータ１４によってバルーンリミッタ１０が回転開始し、予め規定された遅れを伴って第２のモータ１１によってスピンドル７が回転開始する。このスピンドル７の後続の回転開始によって、糸が、スピンドル７に設けられた保持手段１６と、供給機構１との間に糸結合体２６を形成する。同時に、裁断器具２４によって、糸Ｐが、スピンドル７に設けられた保持手段１６と、捕捉手段２５に設けられたコップとの間で遮断される。バルーンリミッタ１０およびスピンドル７の回転開始時には、バルーンリミッタ１０の瞬間回転数とスピンドル７の瞬間回転数との間に常に、規定された正の差が維持され、これによって、スピンドル７がより緩速に回転する。このスピンドル７の回転開始によって、糸結合体２６において撚り数が増加させられる。バルーンリミッタ１０およびスピンドル７の定格回転の達成前の予め規定された瞬間では、第１のモータ６によって供給機構１がスタートし、その後、この供給機構１の回転開始が制御され、これによって、糸結合体２６が、スピンドル７のスタートと供給機構１の定格速度との間の時間インターバルで、最終糸の公称撚りの許容可能な偏差よりも低い撚り数を獲得する。紡績開始プロセス時の糸結合体２６における可能な限り許容可能な撚り数は、最終糸の公称撚り数の１５０％であってよい。
【００３１】
作業ステーションの機能機構の、制御された回転開始時には、糸によって、回転する開いたループが確実に形成される。その後、このループによって、糸Ｐが巻管８に巻き上げられる。
【００３２】
機械の後続のスイッチオン前には、この機械が、制御されて以下の実行の順序：すなわち、
−スピンドル７と供給機構１との定格速度を減少させ、
−バルーンリミッタ１０の定格速度を減少させ、
−減少させられたコンスタントな速度での後続の運動によってスピンドル７と供給機構１との定格速度の減少を終了し、
−減少させられたコンスタントな速度での後続の運動によってバルーンリミッタ１０の定格速度の減少を終了し、
−バルーンリミッタ１０とスピンドル７との、制御された回転終了によって、バルーンリミッタ１０と、スピンドル７と、供給機構１との駆動装置を同時にスイッチオフし、これによって、バルーンリミッタ１０がスピンドル７以前に停止する
で停止させられる。
【００３３】
制御された回転終了は、プログラムブレーキによって実施され得る。プログラムによる機械の停止後、機能機構の駆動装置のスイッチオフ前の時間インターバルで紡績された糸から、補助糸区分２７が形成される。これには、上述したように、プログラムによる機械のスイッチオンが後続することができる。
【００３４】
図２には、供給機構のスタートおよび回転開始を含むバルーンリミッタ１０およびスピンドル７の回転開始の線形の経過を備えた根本的な変化形におけるバルーンリミッタ１０およびスピンドル７の段階的なスタート時の糸結合体２６における瞬間撚り数の線図が示してある。
【００３５】
ａ−バルーンリミッタ１０のスタート：ａ１−回転開始、ａ２−回転開始の終了、ａ３−定格速度
ｂ−スピンドル７のスタート：ｂ１−回転開始、ｂ２−回転開始の終了、ｂ３−定格速度
ｃ−供給機構１のスタート：ｃ１−回転開始、ｃ２−回転開始の終了、ｃ３−定格速度
Ｚ−機能機構の瞬間速度に応じた糸結合体２６における瞬間撚りの形成の経過を示している。この場合、ｙ軸では、１．００が最終糸の公称撚りを示しており、１．５０が、最終糸の公称撚りよりも５０％だけ高い撚りを示しており、０．７５は、最終糸の公称撚りよりも２５％だけ低い撚りを示している。ｙ軸における縮尺なしの二次パラメータは、機能機構の瞬間速度の経過を概略的に示している。
【００３６】
図３には、（請求項４により）定格速度を上回る瞬間速度の一時的な増加を伴う供給機構１の回転開始を備えた変化形における機能機構の段階的なスタート時の糸結合体２６における瞬間撚り数の線図が示してある。この線図から明らかであるように、糸Ｐは、供給機構１の回転開始の速度の一時的な増加の最大値で、最終糸の公称撚りよりも低い瞬間撚りである。
【００３７】
図４には、プログラムによる機械のスイッチオフの例示的な経過時の糸における瞬間撚り数の線図が示してある。糸結合体２６の形成の経過から明らかであるように、機能機構の回転終了時には、糸結合体における撚り数が、最終糸の公称撚りの最大２５％だけ減少し得る。
【００３８】
ａ３，ｂ３，ｃ３は、バルーンリミッタ１０の定格速度、スピンドル７の定格速度および供給機構１の定格速度を示しており、
ａ４，ｂ４，ｃ４は、バルーンリミッタ１０の速度の、制御された減少、スピンドル７の速度の、制御された減少および供給機構１の速度の、制御された減少を示しており、
ａ５，ｂ５，ｃ５は、規定された時間Ｔの間の減少させられたコンスタントな速度を備えたバルーンリミッタ１０の速度、スピンドル７の速度および供給機構１の速度を示しており、
ａ６，ｂ６，ｃ６は、完全な静止までの制御された終了を示しており、
Ｔ１は、スピンドル７および供給機構１の定格速度の減少の開始と、バルーンリミッタ１０の定格速度の減少の開始との間の時定数であり、
Ｔ２は、スピンドル７および供給機構１の定格速度の減少の終了と、バルーンリミッタ１０の定格速度の減少の終了との間の時定数である。
【図面の簡単な説明】
【００３９】
【図１】ループ形成紡績またはループ形成加撚のための機械の作業ステーションの部分的な側面図である。
【図２】糸結合体における撚りの経過の線図および機械のスイッチオン時の作業ステーションの機能機構の動作の概略的な例示的な経過を示す図である。
【図３】糸結合体における撚りの経過の線図および機械のスイッチオン時の作業ステーションの機能機構の動作の概略的な例示的な経過を示す図である。
【図４】機械の一時的な停止時の作業ステーションの機能機構の、制御された回転終了時の糸における撚りの経過の線図である。
【符号の説明】
【００４０】
１  供給機構、  ２，３  供給ローラ、  ４  供給繊維形成物、  ５  ガイド、  ６  第１のモータ、  ７  スピンドル、  ８  巻管、  ９  糸巻上げ体、  １０  バルーンリミッタ、  １１  第２のモータ、  １２  スピンドルレール、  １３  二重矢印、  １４  第３のモータ、  １５  支持レール、  １６  保持手段、  １７  レバーガイド、  １８  駆動機構、  １９，２０，２１  線路、  ２２  制御機構、  ２３  線路、  ２４  裁断器具、  ２５  捕捉手段、  ２６  糸結合体、  ２７  補助糸区分、  １０１  ボディ、  １０２  案内表面、  Ｐ  糸
【図１】
2006299504.tif 000003
【図２】
2006299504.tif 000004
【図３】
2006299504.tif 000005
【図４】
2006299504.tif 000006